(57)【要約】【課題】  車室内インストルメントパネル周りの商品力を向上させることができる多機能スイッチ装置を提供する。【解決手段】  中央に表示部９を備えたダイヤルスイッチ３と、ダイヤルスイッチ３の近傍に配設される操作スイッチ群４と、これらのダイヤルスイッチ３及び操作スイッチ群４の機能を切替える機能切替スイッチ５とを設け、ダイヤルスイッチ３及び機能切替スイッチ５の近傍に、デフロスタスイッチ６、リアデフロスタスイッチ７及びハザードスイッチ８を配設した。これにより、ダイヤルスイッチ３と操作スイッチ群４を多機能化して種々の操作を行えるので、操作スイッチの個数を減らすことができ、また、オプションとして設定されない操作機能は電気的に削除されるので、盲蓋を設けずに済む。さらに、スイッチ６〜８を直接操作して安全性を確保できるとともに、上記のスイッチ６〜８も集約して配置できる。【選択図】    図１
2007165246.tif 000002
【特許請求の範囲】
【請求項１】
操作信号を出力する操作スイッチと、この操作スイッチの機能を切替える機能切替スイッチ（５）とを備えた多機能スイッチ装置であって、
前記操作スイッチが、環状のダイヤルスイッチ（３）を有し、このダイヤルスイッチ（３）の中央に、前記機能切替スイッチ（５）で選択された前記ダイヤルスイッチ（３）の機能を表示する表示部（９）を設けたことを特徴とする多機能スイッチ装置。
【請求項２】
請求項１に記載の多機能スイッチ装置であって、
前記操作スイッチが、前記ダイヤルスイッチ（３）の近傍に配設される操作スイッチ群（４）を有し、前記機能切替スイッチ（５）で選択された前記操作スイッチ群（４）の機能を前記表示部（９）により表示することを特徴とする多機能スイッチ装置。
【請求項３】
請求項１に記載の多機能スイッチ装置であって、
前記ダイヤルスイッチ（３）及び前記機能切替スイッチ（５）の近傍に、緊急度の高い操作を必要する他の操作スイッチ（６，７，８）を配設したことを特徴とする多機能スイッチ装置。
【発明の詳細な説明】
【技術分野】
【０００１】
本発明は、車室内などの設けられる多機能スイッチ装置に関する。
【背景技術】
【０００２】
例えば、特許文献１に記載されているように、車室内の空調用コントロールパネルに、空調装置に関連した表示部及び種々の操作スイッチ、例えば、オートスイッチ、温度調整ダイヤル、モードスイッチ、ファンスイッチ、ＲＥＣ（内気循環）スイッチ、ＦＲＥ（外気導入）スイッチ、及びＯＦＦスイッチを備えた「自動車用空気調和装置」が提案されている。
【特許文献１】特開２００１−９７０２７号公報
【発明の開示】
【発明が解決しようとする課題】
【０００３】
ところで、前記した特許文献１にあっては、車室内の空調用コントロールパネルに空調用表示部及び種々の操作スイッチが集約して設けられているが、その他の操作スイッチに関しては特に考慮されていなかった。すなわち、車室内のインストルメントパネルには、上記の空調用コントロールパネルの他、他の操作スイッチもナビゲータ装置、及びオーディオ装置などの操作対象ごとに配置されているため、これらの操作スイッチを利用する操作者に乱雑なイメージを与えていた。また、上記の操作スイッチのうちのオプションとして設定されたものは車種によって設置されていないため、その設置スペースを覆う盲蓋により見栄えが劣り、車室内インストルメントパネル周りの商品力の向上を妨げる要因となっていた。
【０００４】
そこで本発明は、前記した従来技術における実情を鑑みてなされたものであり、その目的は、インストルメントパネル周りの商品力を向上させることのできる多機能スイッチ装置を提供することにある。
【課題を解決するための手段】
【０００５】
上記目的を達成するため請求項１記載の発明は、操作信号を出力する操作スイッチと、この操作スイッチの機能を切替える機能切替スイッチとを備えた多機能スイッチ装置であって、前記操作スイッチが環状のダイヤルスイッチを有し、このダイヤルスイッチの中央に、前記機能切替スイッチで選択された前記操作スイッチの機能を表示する表示部を設けたことを特徴とする。
【０００６】
請求項２記載の発明は、請求項１記載の発明において、前記操作スイッチが、前記ダイヤルスイッチの近傍に配設される操作スイッチ群を有し、前記機能切替スイッチで選択された前記操作スイッチ群の機能を前記表示部で表示することを特徴とする。
【０００７】
請求項３記載の発明は、請求項１記載の発明において、前記ダイヤルスイッチ及び前記機能切替スイッチの近傍に、緊急度の高い操作を必要する他の操作スイッチを配設したことを特徴とする。
【発明の効果】
【０００８】
請求項１記載の発明によれば、操作者が機能切替スイッチを操作すると、環状のダイヤルスイッチの機能が切替えられ、選択された機能がダイヤルスイッチの中央の表示部で表示されるので、この表示部の表示を操作者が見ながらダイヤルスイッチの操作を行う。このように機能切替スイッチによってダイヤルスイッチを多機能化し、ダイヤルスイッチで種々の操作を行うことができるので、操作スイッチの個数を減らすことができ、また、オプションで設定されなかった操作スイッチの機能は制御装置内で電気的に削除されるので、従来のように盲蓋を設けずに済む。これによって、インストルメントパネル周りのデザインの自由度が向上し、インストルメントパネル周りの商品力を向上させることができる。
【０００９】
請求項２記載の発明によれば、請求項１記載の発明の効果に加えて、ダイヤルスイッチの近傍に配設される操作スイッチ群を機能切替スイッチで多機能化し、多くの高度な操作を行うことにより、さらに操作スイッチの機能を集約して操作スイッチの個数を減らすことができる。
【００１０】
請求項３記載の発明によれば、請求項１記載の発明の効果に加えて、安全上必要な場合に、緊急度の高い操作を必要する他の操作スイッチを直接操作することにより、安全性を確保できるとともに、上記の他の操作スイッチもダイヤルスイッチ及び機能切替スイッチの近傍に集約して配置されているので、この点からもインストルメントパネル周りの見栄えを整然としたものとすることができる。
【発明を実施するための最良の形態】
【００１１】
以下、本発明の実施の形態に係る多機能スイッチ装置を図面に基づいて説明する。図１は本発明の一実施形態に係る多機能スイッチ装置を示す正面図、図２は本実施形態に設けられる機能切替スイッチでサイドミラー操作機能を選択した場合の表示部と操作スイッチ群を示す正面図、図３は４ＷＤ操作機能を選択した場合の表示部を示す正面図、図４は前照灯操作機能を選択した場合の表示部を示す正面図、図５は本実施形態が設けられる車室内のインストルメントパネルを示す正面図、図６は車室内のインストルメントパネルの側面図である。
【００１２】
図５に示すように、本実施形態の多機能スイッチ装置１は、車室内インストルメントパネル２の幅方向の中央に配設されている。また図１に示すように、本実施形態の多機能スイッチ装置１は、４ＷＤ操作機能及び前照灯操作機能を有する環状のダイヤルスイッチ３と、空調操作機能及びサイドミラー操作機能を有する操作スイッチ群４と、これらのダイヤルスイッチ３及び操作スイッチ群４の機能を切替える機能切替スイッチ５と、緊急度の高い操作を必要する他の操作スイッチ、例えば、デフロスタスイッチ６、リアデフロスタスイッチ７及びハザードスイッチ８とを備えている。
【００１３】
上記のダイヤルスイッチ３は、多機能スイッチ装置１の幅方向の中央に配置されているとともに、図６に示すように、多機能スイッチ装置１の表面より車室内へ突出しており、操作者はダイヤルスイッチ３をつまんで回動操作可能であるとともに押圧操作も可能である。ダイヤルスイッチ３の中央には、ドットマトリックス液晶からなる表示部９が設けられ、この表示部９により、機能切替スイッチ５で選択されたダイヤルスイッチ３及び操作スイッチ群４の機能を表示する。ダイヤルスイッチ３の右側近傍は、４方向キー４ａ〜４ｄからなる操作スイッチ群４が配置されるとともに、ダイヤルスイッチ３より左側に向かってデフロスタスイッチ６と、機能切替スイッチ５及びリアデフロスタスイッチ７と、ハザードスイッチ８とが順次配列されている。なお、操作スイッチ群４の右側近傍は、サイドミラーを収納するサイドミラー収納スイッチ１０が配置されている。
【００１４】
この実施形態の多機能スイッチ装置１では、機能切替スイッチ５が操作されていない当初の状態で空調操作機能が設定されており、図１に示すように、表示部９で空調装置の作動状態、例えば空調温度および風量を表示する。このとき、操作スイッチ群４の上キー４ａ、右キー４ｂ、下キー４ｃ及び左キー４ｄで空調制御の各操作を行うようになっている。次いで、機能切替スイッチ５を操作する毎に当初の空調操作機能からサイドミラー操作機能、４ＷＤ操作機能、及び前照灯操作機能に順次切替わる。また、これらの操作途中で所定時間、機能切替スイッチ５が操作されない場合、当初の空調操作機能に戻るようになっている。
【００１５】
例えば、当初の空調操作機能にて機能切替スイッチ５を操作すると、上記の空調操作機能からサイドミラー操作機能に切替わり、図２に示すように表示部９でサイドミラー作動状態を表示する。このとき、ダイヤルスイッチ３を時計回り方向に回すと、右側サイドミラー（図示せず）の位置操作が可能となり、逆に、ダイヤルスイッチ３を反時計回り方向に回すと、左側サイドミラー（図示せず）の位置操作が可能となる。次いで、操作スイッチ群４の上キー４ａの操作でサイドミラーが上向きに回動し、右キー４ｂの操作でサイドミラーが右側に回動し、下キー４ｃの操作でサイドミラーが下向きに回動し、左キー４ｄの操作でサイドミラーが左側に回動する。その際に、各キー４ａ〜４ｄの矢印マークを点灯させてサイドミラー操作機能が働いていることを操作者に報知する。
【００１６】
次いで、機能切替スイッチ５を再び操作すると、上記のサイドミラー操作機能から４ＷＤ操作機能に切替わり、図３に示すように表示部９で４ＷＤ装置（図示せず）の作動状態を表示する。このとき、ダイヤルスイッチ３を押圧すると、４ＷＤ装置のＯＮ／ＯＦＦが切替わる。
【００１７】
さらに機能切替スイッチ５を操作すると、上記の４ＷＤ操作機能から前照灯操作機能に切替わり、図４に示すように表示部９で（図示せず）前照灯の光軸角度を表示する。このとき、ダイヤルスイッチ３を時計回り方向に回すと、前照灯の光軸角度が上向きとなり、ダイヤルスイッチ３を反時計回り方向に回すと、前照灯の光軸角度が下向きとなる。その際に、表示部９でマーク下のバー表示を点灯させて前照灯操作機能が働いていることを操作者に報知する。
【００１８】
また、車両の安全上必要な場合に、ハザードスイッチ８を操作することにより非常点滅灯（図示せず）が作動し、同様に、デフロスタスイッチ６の操作によりデフロスタ（図示せず）が作動し、リアデフロスタスイッチ７の操作によりリアデフロスタ（図示せず）が作動する。
【００１９】
このように構成した実施形態では、機能切替スイッチ５によってダイヤルスイッチ３を多機能化して種々の操作を行うことができ、さらに、ダイヤルスイッチ３の近傍に配設される４方向キー４ａ〜４ｄも多機能化して多くの高度な操作を行うができるので、操作スイッチの機能を集約して個数を減らすことができる。例えば、４ＷＤ操作機能がオプションとして設定されない場合、上記の機能は制御装置内で電気的に削除されるので、従来のように盲蓋を設けずに済み、また、他の前照灯操作機能なども同様である。したがって、インストルメントパネル２周りのデザインの自由度が向上し、インストルメントパネル２周りの商品力を向上させることができる。これに加えて、インストルメントパネル２上の操作スイッチの個数削減により、インストルメントパネル２の重量を低減することもできる。
【００２０】
また、本実施形態では、インストルメントパネル２の幅方向の中央部分に、ダイヤルスイッチ３、操作スイッチ群４、機能切替スイッチ５、他の操作スイッチ６〜８及び表示部９を集約して配置したので、これらの操作領域を集中化して操作性を向上させることができる。さらに、使用頻度の比較的高い空調操作及びサイドミラー操作を４方向キー４ａ〜４ｄからなる操作スイッチ群４を用いて行うので、この点からも使い勝手の良い多機能スイッチ装置１が得られる。
【００２１】
また本実施形態では、車両の安全上必要な場合にデフロスタスイッチ６、リアデフロスタスイッチ７及びハザードスイッチ８をそれぞれ直接操作することにより、安全性を確保できるとともに、上記のスイッチ６〜８もダイヤルスイッチ３及び機能切替スイッチ５の近傍に集約して配置されているので、この点からもインストルメントパネル２周りの見栄えを整然としたものとすることができる。
【００２２】
なお、上記実施形態にあっては、ダイヤルスイッチ３が４ＷＤ操作機能及び前照灯操作機能を有する場合を例示したが、本発明はこれに限定されず、ダイヤルスイッチ３が他の操作機能を備えることができ、また、操作スイッチ群４に関しても同様である。
【図面の簡単な説明】
【００２３】
【図１】本発明の一実施形態に係る多機能スイッチ装置を示す正面図である。
【図２】本実施形態に設けられる機能切替スイッチでサイドミラー操作機能を選択した場合の表示部と操作スイッチ群を示す正面図である。
【図３】４ＷＤ操作機能を選択した場合の表示部を示す正面図である。
【図４】前照灯操作機能を選択した場合の表示部を示す正面図である。
【図５】本実施形態が設けられる車室内のインストルメントパネルを示す正面図である。
【図６】車室内のインストルメントパネルの側面図である。
【符号の説明】
【００２４】
１  多機能スイッチ装置
２  インストルメントパネル
３  ダイヤルスイッチ（操作スイッチ）
４  操作スイッチ群（操作スイッチ）
４ａ〜４ｄ  ４方向キー
５  機能切替スイッチ
６  デフロスタスイッチリア（他の操作スイッチ）
７  デフロスタスイッチ（他の操作スイッチ）
８  ハザードスイッチ（他の操作スイッチ）
９  表示部 
【図１】
2007165246.tif 000003
【図２】
2007165246.tif 000004
【図３】
2007165246.tif 000005
【図４】
2007165246.tif 000006
【図５】
2007165246.tif 000007
【図６】
2007165246.tif 000008